(57)【要約】【課題】消費電力の増大を伴う複雑な演算を行うことなく、拡散シンボルに対する重み付け合成処理による高い受信性能を実現する。【解決手段】ＭＢ−ＯＦＤＭの無線通信における受信装置１において、高速フーリエ変換演算部９におけるＦＦＴ演算後の等化器１０におけるサブキャリア単位の周波数領域で伝送路特性の推定に用いられる伝送路特性推定値１１を基に、共通のＯＦＤＭシンボルに由来する複数の拡散シンボルの合成における重み付けを行うシンボル合成部１２を設け、個々の拡散シンボル２０ａに関するＳ／Ｎの煩雑な演算等を必要とすることなく、複数の拡散シンボル２０ａの適切な合成による高い受信性能を実現する。【選択図】図１
2009071636.tif 000002
【特許請求の範囲】
【請求項１】
伝送情報を担持する第１シンボルを時間領域で複数の第２シンボルに拡散して伝送する無線通信システムにおける受信装置であって、
受信した前記第２シンボルを周波数領域で補正する等化器と、
前記等化器で得られる伝送路特性推定値に基づいて、共通の前記第１シンボルに由来する複数の前記第２シンボルの合成を行うシンボル合成部と、
を含むことを特徴とする受信装置。
【請求項２】
請求項１記載の受信装置において、
前記第１シンボルは、前記伝送情報を複数のサブキャリアに分散して担持させ逆高速フーリエ変換（ＩＦＦＴ）して得られたＯＦＤＭ（直交周波数分割多重）シンボルであり、
前記シンボル合成部は、前記伝送路特性推定値に基づいて、複数の前記第２シンボルの各々に対応し高速フーリエ変換（ＦＦＴ）後に周波数領域で前記等化器によって補正された前記ＯＦＤＭシンボルの前記サブキャリアの複素シンボルに対して重み付けを与えて合成することを特徴とする受信装置。
【請求項３】
請求項２記載の受信装置において、
前記シンボル合成部は、前記ＯＦＤＭシンボル内の個々の前記サブキャリアの前記伝送路特性推定値の平均値を求め、前記平均値に基づいて複数の前記第２シンボルの各々に対応した前記ＯＦＤＭシンボルの前記サブキャリアの前記複素シンボルに対して重み付けを与えて合成することを特徴とする受信装置。
【請求項４】
請求項２記載の受信装置において、
前記シンボル合成部は、前記ＯＦＤＭシンボルの個々の前記サブキャリアの前記複素シンボルに与えられている変調処理に基づいた復調処理後の個々の前記サブキャリアに対応した軟判定出力データに対して、前記伝送路特性推定値に基づいて重み付けを与えて合成することを特徴とする受信装置。
【請求項５】
請求項４記載の受信装置において、
前記シンボル合成部は、前記等化器で得られる前記伝送路特性推定値に基づいて、前記ＯＦＤＭシンボル内の個々の前記サブキャリアの前記伝送路特性推定値の平均値を求め、前記平均値に基づいて個々の前記サブキャリアに対応した前記軟判定出力データに対して重み付けを与えて合成することを特徴とする受信装置。
【請求項６】
伝送情報を担持する第１シンボルを時間領域で複数の第２シンボルに拡散して伝送する無線通信システムにおける受信方法であって、
受信した前記第２シンボルを等化器により周波数領域で補正する第１ステップと、
前記等化器で得られる伝送路特性推定値に基づいて、共通の前記第１シンボルに由来する複数の前記第２シンボルの合成を行う第２ステップと、
を含むことを特徴とする受信方法。
【請求項７】
請求項６記載の受信方法において、
前記第１シンボルは、前記伝送情報を複数のサブキャリアに分散して担持させ逆高速フーリエ変換（ＩＦＦＴ）して得られたＯＦＤＭ（直交周波数分割多重）シンボルであり、
前記第２ステップでは、前記伝送路特性推定値に基づいて、複数の前記第２シンボルの各々に対応し高速フーリエ変換（ＦＦＴ）後に周波数領域で前記等化器によって補正された前記ＯＦＤＭシンボルの前記サブキャリアの複素シンボルに対して重み付けを与えて合成することを特徴とする受信方法。
【請求項８】
請求項７記載の受信方法において、
前記第２ステップでは、前記ＯＦＤＭシンボル内の個々の前記サブキャリアの前記伝送路特性推定値の平均値を求め、前記平均値に基づいて複数の前記第２シンボルの各々に対応した前記ＯＦＤＭシンボルの前記サブキャリアの前記複素シンボルに対して重み付けを与えて合成することを特徴とする受信方法。
【請求項９】
請求項７記載の受信方法において、
前記第２ステップでは、前記ＯＦＤＭシンボルの個々の前記サブキャリアの前記複素シンボルに与えられている変調処理に基づいた復調処理後の個々の前記サブキャリアに対応した軟判定出力データに対して、前記伝送路特性推定値に基づいて重み付けを与えて合成することを特徴とする受信方法。
【請求項１０】
請求項９記載の受信方法において、
前記第２ステップでは、前記等化器で得られる前記伝送路特性推定値に基づいて、前記ＯＦＤＭシンボル内の個々の前記サブキャリアの前記伝送路特性推定値の平均値を求め、前記平均値に基づいて個々の前記サブキャリアに対応した前記軟判定出力データに対して重み付けを与えて合成することを特徴とする受信方法。
【発明の詳細な説明】
【技術分野】
【０００１】
本発明は、無線伝送システムにおける受信技術に関し、たとえば、送信するシンボルを時間領域において拡散して送受信するＯＦＤＭ無線通信システム等に適用して有効な技術に関する。
【背景技術】
【０００２】
従来の無線通信システムにおいては、伝送方式としてＯＦＤＭ（直交周波数分割多重）方式を用いた無線伝送装置が知られており、受信時においてＦＦＴ（高速フーリエ変換）を用いて復調を行いサブキャリアの信号を復調している。
【０００３】
また、ＷＰＡＮ(Wireless Personal Area Network)の用途に標準化が進められている、ＯＦＤＭ信号を複数の周波数の間で周波数ホッピングするＭＢ−ＯＦＤＭ(MultiBand OFDM)方式においては、伝送速度に対応して送信シンボルを時間軸上で拡散して送信するtime-domain-spreading方式が使用され、通信の信頼性向上を図っている。
【０００４】
一般に、ＯＦＤＭ方式で伝送される信号の受信にはＦＦＴが用いられ、ＯＦＤＭシンボル単位でＦＦＴ演算を行い復調が行われる。受信されたＯＦＤＭシンボルはマルチパス伝送路で生じる遅延波との干渉で生じるフェージングの影響により歪を受けており、ＦＦＴ変換後に等化器により伝送路特性の推定値を演算し、その逆特性を受信シンボルに対して与えることにより、伝送路歪の補正が行われる。
【０００５】
ＭＢ−ＯＦＤＭ方式では、さらにこの補正後のＯＦＤＭシンボルに対して、拡散されたシンボル間で合成を行うことにより、ダイバーシチ効果を得ることが可能となり、高い受信性能を得ることが可能となる。
【０００６】
一般にこの拡散シンボル間の合成は、シンボル間のＳ／Ｎ（信号対ノイズ比）を演算し、そのＳ／Ｎを基にシンボル間で重み付けを与えることで合成が行われている（例えば、特許文献１）。
【０００７】
この特許文献１の拡散シンボル間の合成技術では、Ｓ／Ｎの演算にＯＦＤＭシンボルのサブキャリア毎に誤差ベクトルを演算してＳ／Ｎを求めているが、演算処理が複雑になり、回路の消費電力が大きくなるという技術的課題があった。
【特許文献１】特開２００５−２６９３９２号公報
【発明の開示】
【発明が解決しようとする課題】
【０００８】
本発明の目的は、消費電力の増大を伴う複雑な演算を行うことなく、拡散シンボルに対する重み付け合成処理による高い受信性能を実現することが可能な無線伝送システムの受信技術を提供することにある。
【課題を解決するための手段】
【０００９】
本発明の第１の観点は、伝送情報を担持する第１シンボルを時間領域で複数の第２シンボルに拡散して伝送する無線通信システムにおける受信装置であって、
受信した前記第２シンボルを周波数領域で補正する等化器と、
前記等化器で得られる伝送路特性推定値に基づいて、共通の前記第１シンボルに由来する複数の前記第２シンボルの合成を行うシンボル合成部と、
を含む受信装置を提供する。
【００１０】
本発明の第２の観点は、第１の観点に記載の受信装置において、
前記第１シンボルは、前記伝送情報を複数のサブキャリアに分散して担持させ逆高速フーリエ変換（ＩＦＦＴ）して得られたＯＦＤＭ（直交周波数分割多重）シンボルであり、
前記シンボル合成部は、前記伝送路特性推定値に基づいて、複数の前記第２シンボルの各々に対応し高速フーリエ変換（ＦＦＴ）後に周波数領域で前記等化器によって補正された前記ＯＦＤＭシンボルの前記サブキャリアの複素シンボルに対して重み付けを与えて合成する受信装置を提供する。
【００１１】
本発明の第３の観点は、第２の観点に記載の受信装置において、
前記シンボル合成部は、前記ＯＦＤＭシンボル内の個々の前記サブキャリアの前記伝送路特性推定値の平均値を求め、前記平均値に基づいて複数の前記第２シンボルの各々に対応した前記ＯＦＤＭシンボルの前記サブキャリアの前記複素シンボルに対して重み付けを与えて合成する受信装置を提供する。
【００１２】
本発明の第４の観点は、第２の観点に記載の受信装置において、
前記シンボル合成部は、前記ＯＦＤＭシンボルの個々の前記サブキャリアの前記複素シンボルに与えられている変調処理に基づいた復調処理後の個々の前記サブキャリアに対応した軟判定出力データに対して、前記伝送路特性推定値に基づいて重み付けを与えて合成する受信装置を提供する。
【００１３】
本発明の第５の観点は、第４の観点に記載の受信装置において、
前記シンボル合成部は、前記等化器で得られる前記伝送路特性推定値に基づいて、前記ＯＦＤＭシンボル内の個々の前記サブキャリアの前記伝送路特性推定値の平均値を求め、前記平均値に基づいて個々の前記サブキャリアに対応した前記軟判定出力データに対して重み付けを与えて合成する受信装置を提供する。
【００１４】
本発明の第６の観点は、伝送情報を担持する第１シンボルを時間領域で複数の第２シンボルに拡散して伝送する無線通信システムにおける受信方法であって、
受信した前記第２シンボルを等化器により周波数領域で補正する第１ステップと、
前記等化器で得られる伝送路特性推定値に基づいて、共通の前記第１シンボルに由来する複数の前記第２シンボルの合成を行う第２ステップと、
を含む受信方法を提供する。
【００１５】
本発明の第７の観点は、第６の観点に記載の受信方法において、
前記第１シンボルは、前記伝送情報を複数のサブキャリアに分散して担持させ逆高速フーリエ変換（ＩＦＦＴ）して得られたＯＦＤＭ（直交周波数分割多重）シンボルであり、
前記第２ステップでは、前記伝送路特性推定値に基づいて、複数の前記第２シンボルの各々に対応し高速フーリエ変換（ＦＦＴ）後に周波数領域で前記等化器によって補正された前記ＯＦＤＭシンボルの前記サブキャリアの複素シンボルに対して重み付けを与えて合成する受信方法を提供する。
【００１６】
本発明の第８の観点は、第７の観点に記載の受信方法において、
前記第２ステップでは、前記ＯＦＤＭシンボル内の個々の前記サブキャリアの前記伝送路特性推定値の平均値を求め、前記平均値に基づいて複数の前記第２シンボルの各々に対応した前記ＯＦＤＭシンボルの前記サブキャリアの前記複素シンボルに対して重み付けを与えて合成する受信方法を提供する。
【００１７】
本発明の第９の観点は、第７の観点に記載の受信方法において、
前記第２ステップでは、前記ＯＦＤＭシンボルの個々の前記サブキャリアの前記複素シ
ンボルに与えられている変調処理に基づいた復調処理後の個々の前記サブキャリアに対応した軟判定出力データに対して、前記伝送路特性推定値に基づいて重み付けを与えて合成する受信方法を提供する。
【００１８】
本発明の第１０の観点は、第９の観点に記載の受信方法において、
前記第２ステップでは、前記等化器で得られる前記伝送路特性推定値に基づいて、前記ＯＦＤＭシンボル内の個々の前記サブキャリアの前記伝送路特性推定値の平均値を求め、前記平均値に基づいて個々の前記サブキャリアに対応した前記軟判定出力データに対して重み付けを与えて合成する受信方法を提供する。
【発明の効果】
【００１９】
本発明によれば、消費電力の増大を伴う複雑な演算を行うことなく、拡散シンボルに対する重み付け合成処理による高い受信性能を実現することが可能な無線伝送システムの受信技術を提供することができる。
【発明を実施するための最良の形態】
【００２０】
以下、図面を参照しながら、本発明の実施の形態について詳細に説明する。
図１は、本発明の一実施の形態である受信方法を実施する受信装置の構成の一例を示すブロック図であり、図２は、本実施の形態の受信装置におけるシンボル合成部の構成例を示す概念図、図３は、本実施の形態の作用を説明する線図である。
【００２１】
本実施の形態の受信装置１は、たとえばＭＢ−ＯＦＤＭ(MultiBand OFDM)方式の無線通信機の受信系を構成する。
この受信装置１は、アンテナ２、低雑音増幅器３、周波数ミキサ４、無線周波数発信器５、ローパスフィルタ６、自動利得制御器７、Ａ／Ｄ変換器８、高速フーリエ変換演算部９、等化器１０、デマッピング部１３、デインターリーバ１４および誤り訂正処理部１５を備えている。
【００２２】
本実施の形態の場合、等化器１０とデマッピング部１３の間にはシンボル合成部１２が設けられている。
図示しない送信機の側では、伝送情報を複数のサブキャリアに分散して担持させ逆高速フーリエ変換（ＩＦＦＴ）して得られたＯＦＤＭシンボル２０ｂ（第１シンボル）を時間領域で複数の拡散シンボル２０ａ（第２シンボル）に拡散して無線電波２０として送信する。
【００２３】
ここで、ＯＦＤＭシンボル２０ｂを時間領域で複数の拡散シンボル２０ａに拡散するとは、具体的には、同一のＯＦＤＭシンボル２０ｂについて、経時的に異なる周波数で（周波数ホッピングにより）複数の拡散シンボル２０ａとして送信することを意味する。
【００２４】
受信装置１のアンテナ２に無線電波２０として到来する拡散シンボル２０ａ（ＯＦＤＭシンボル２０ｂ）は、低雑音増幅器３で増幅された後、周波数ミキサ４および無線周波数発信器５およびローパスフィルタ６等からなるダウンコンバータでベースバンド信号に変換され、自動利得制御器７で信号レベルのばらつきが補正された後、Ａ／Ｄ変換器８でデジタル信号に変換され、高速フーリエ変換演算部９に入力される。
【００２５】
この高速フーリエ変換演算部９におけるＦＦＴ演算後、等化器１０によりサブキャリア単位の周波数領域で伝送路特性の推定を行い、その伝送路特性推定値１１を基に各サブキャリアの複素シンボルに対してシンボル補正が行われる。
【００２６】
等化器１０は、たとえば受信パケットのプリアンブルに挿入されている既知のシンボル
に対して、基準のシンボルと比較を行い、各サブキャリア（キャリア番号ｌ）に対応する伝送路特性Ｈ（ｌ）を求める。
【００２７】
本実施の形態のようなＭＢ−ＯＦＤＭでは、３つの周波数バンドにＯＦＤＭシンボル２０ｂをホッピングして複数の拡散シンボル２０ａを生成する周波数ホッピング方式が採用されているため、伝送路特性Ｈ（ｌ）を求める処理では、それぞれプリアンブルのシンボルが通過した周波数バンドに対応した３種類の特性を演算する。
【００２８】
その後、パケット内の各受信シンボルＸ（ｎ，ｌ）に対して、次の式（１）のように、各シンボルが通過してきた周波数バンドに対応する伝送路特性Ｈ（ｌ）の逆特性Ｈ'（ｌ）＝１／Ｈ（ｌ）を複素乗算することで、サブキャリア単位で各シンボルの補正を行い、補正後のシンボルＸ'（ｎ，ｌ）を求める。
【００２９】
【数１】
2009071636.tif 000003
【００３０】
ただし、この式（１）において、ｎはシンボル番号、ｌはサブキャリア番号である。
ここで、上述のように、ＭＢ−ＯＦＤＭなどの受信方式では受信シンボルの歪を補正するために等化器１０による補正が行われているが、補正後の拡散シンボル２０ａの合成において、特許文献１のように複数の拡散シンボル２０ａの間のＳ／Ｎの演算による重み付けによって合成する場合には、演算処理が複雑になり消費電力が増大するという技術的課題がある。
【００３１】
そこで、本実施の形態では、等化器１０で演算するサブキャリア毎の伝送路特性推定値１１を基にして、共通のＯＦＤＭシンボル２０ｂに由来する複数の拡散シンボル２０ａの間で重み付けを行い複数の拡散シンボル２０ａ間で合成を行う。
【００３２】
すなわち、図３に例示されるように、等化器１０で伝送路特性推定値１１を基に行われる受信シンボルを構成するサブキャリアＡ，Ｂの補正量Δａは、補正前のシンボルのＳ／Ｎに比例しており、その補正量Δａが大きいほど、受信前のＳ／Ｎは劣化している。
【００３３】
このため、本実施の形態では、後述のように、等化器１０で求めた伝送路特性推定値１１を基に、シンボル合成部１２において拡散シンボル２０ａのサブキャリア単位で重み付けを行い合成することで、Ｓ／Ｎを演算する機能を付加することなく、最適なＳ／Ｎ比で拡散シンボル２０ａ間の合成を行い、ダイバーシチ効果を実現する。
【００３４】
本実施の形態では、等化器１０の後段にシンボル合成部１２を配置し、このシンボル合成部１２において、伝送路特性推定値１１を用いた拡散シンボル２０ａの合成を行う。
すなわち、図２に例示されるように、本実施の形態のシンボル合成部１２は、合成シンボル選択部１２ａ、乗算部１２ｂ、乗算部１２ｃ、加算部１２ｄ、正規化部１２ｇ、絶対値演算部１２ｅ、重み付け演算部１２ｆを備えている。
【００３５】
合成シンボル選択部１２ａは、等化器１０から出力される等化補正後シンボル２１である複数の拡散シンボル２０ａから、送信時の共通のＯＦＤＭシンボル２０ｂに由来する拡散シンボル２０ａのペア（後述のＸ'（ａ，ｌ）、Ｘ'（ａ＋１，ｌ））を選択する動作を行う。
【００３６】
絶対値演算部１２ｅは、等化器１０から出力される上述の伝送路特性推定値１１の絶対値を算出する。
重み付け演算部１２ｆは、絶対値演算部１２ｅで得られた伝送路特性推定値１１の絶対値から重み付け値（この場合、伝送路特性推定値１１の絶対値の逆比）を算出して乗算部１２ｂおよび乗算部１２ｃに出力する動作を行う。
【００３７】
そして、乗算部１２ｂ、乗算部１２ｃおよび加算部１２ｄは、後述の式（２）の演算を行う。
正規化部１２ｇは、合成後の拡散シンボル２０ａの振幅レベルの正規化を行う。
【００３８】
すなわち、図２に例示される本実施の形態のシンボル合成部１２では、等化器１０で補正されたシンボル入力（等化補正後シンボル２１）に対して、共通のＯＦＤＭシンボル２０ｂに由来する拡散された２つの拡散シンボル２０ａを取り出し、各拡散シンボル２０ａに対して等化器１０で乗算された伝送路特性推定値１１としてのＨ'（ｌ）の複素ベクトルの絶対値を基に、絶対値演算部１２ｅおよび重み付け演算部１２ｆにおいて合成の重み付け値を演算し、乗算部１２ｂおよび乗算部１２ｃにおいて各シンボルに対して重み付けし、加算部１２ｄで合成する。以下に重み付け合成の一例を示す。
【００３９】
等化後の拡散シンボル２０ａをそれぞれＸ'（ａ，ｌ）、Ｘ'（ａ＋１，ｌ）、各シンボルに対して適用した伝送路特性推定値１１をそれぞれＨ１'（ｌ）、Ｈ２'（ｌ）とすると、各々の伝送路特性推定値１１の絶対値の逆比で重み付け合成する。
【００４０】
合成後のシンボルＸ'（Ａ，ｌ）は以下の式（２）のようになる。
【００４１】
【数２】
2009071636.tif 000004
【００４２】
これにより、等化器１０での補正量Δａが大きいシンボル成分（信号のＳ／Ｎが悪い拡散シンボル２０ａ）を抑圧して合成することが可能となる。
合成後のシンボルＸ'（Ａ，ｌ）は、正規化部１２ｇにおいて、重み付け値に従い、適正な振幅レベルになるように正規化され、合成シンボル２２として、データの復調を行うデマッピング部１３に入力される。
【００４３】
そして、デマッピング部１３で復調されたデータは、デインターリーバ１４において、送信側で並べ替えられていた送信ビットの位置が元の位置に戻され、誤り訂正処理部１５において所望のアルゴリズムによる誤り訂正処理が行われ、元の情報信号２４として出力される。
【００４４】
このように、本実施の形態の場合には、シンボル合成部１２において、共通のＯＦＤＭシンボル２０ｂに由来する複数の拡散シンボル２０ａを合成するに際して、等化器１０において得られる伝送路特性推定値１１を用いた重み付けを行って合成するため、個々の拡散シンボル２０ａのＳ／Ｎの演算等の複雑な処理を必要とせず、シンボル合成部１２を含む受信装置１の消費電力の低減や、回路構成の簡素化を実現できる。
【００４５】
また、共通のＯＦＤＭシンボル２０ｂに由来する拡散シンボル２０ａの適切な合成により、受信装置１の高い受信性能を実現することができる。
上述の例では、各サブキャリア単位で重み付け値を演算して合成しているが、拡散シンボル内の各伝送路特性推定値１１の平均を取って合成の重み付け値を演算し、拡散シンボル内のサブキャリアに対して、一様に重み付けを行っても良い。
【００４６】
また、上述の図１および図２に例示した受信装置１の構成例では、重み付け合成をデマッピング前の各サブキャリアの複素シンボルに対して行っているが、これとは別に、各サブキャリアのシンボルをデマッピングにより復調し、軟判定出力された情報データに対して同様の重み付け処理により合成しても良い。
【００４７】
図４は軟判定後にシンボル合成を行う受信装置１Ａのブロック図である。
この図４に例示される受信装置１Ａでは、デマッピング部１３の後段にシンボル合成部１２が配置されている点が、上述の図１に例示される受信装置１と異なっている。
【００４８】
この受信装置１Ａの場合、受信シンボルは上述の受信装置１の場合と同様に、等化器１０により伝送路歪が補正され、デマッピング部１３に入力されてサブキャリア単位にデマッピング処理が実施される。デマッピングでは、送信機側でサブキャリアに対して行われた変調に合わせて（例えばＱＰＳＫ）、情報データを復調する。この際、復調されるデータは、サブキャリアの複素シンボルからデータの確からしさに従って軟判定されて出力される。
【００４９】
デマッピング部１３で軟判定された出力データ（軟判定データ２３）は、前述の合成方式と同様に、デマッピング部１３の後段に設けられたシンボル合成部１２において、等化器１０で乗算された伝送路特性推定値１１を基に、絶対値演算部１２ｅおよび重み付け演算部１２ｆで重み付け値を演算し、乗算部１２ｂ、乗算部１２ｃおよび加算部１２ｄで拡散シンボル間の各サブキャリアに対応した軟判定データ２３同士を合成する。合成された軟判定データ２３は、正規化部１２ｇにおいて重み付け値に従い正規化され、軟判定出力２３ａとして後段のデインターリーバ１４を経由して誤り訂正処理部１５に入力される。
【００５０】
この図４に例示された受信装置１Ａの場合にも、デマッピング部１３の後段に設けられたシンボル合成部１２において、等化器１０から得られる伝送路特性推定値１１を用いて共通のＯＦＤＭシンボル２０ｂに由来する拡散シンボル２０ａ間の各サブキャリアに対応した軟判定データ２３の各々に重み付けして合成するので、個々の拡散シンボル２０ａのＳ／Ｎの演算等の複雑な処理を必要とせず、シンボル合成部１２を含む受信装置１の消費電力の低減や、回路構成の簡素化を実現できる。
【００５１】
以上説明したように、本発明の実施の形態によれば、ＭＢ−ＯＦＤＭなどのtime-domain-spreading方式を用いたＯＦＤＭ無線機において、等化器１０で導出される伝送路特性推定値１１を基にシンボル合成部１２における合成の重み付け係数を演算することにより、拡散シンボル２０ａの歪量に応じて適切な割合で、拡散シンボル２０ａの合成が可能となる。
【００５２】
この結果、消費電力の増大を伴う複雑な演算を行うことなく、拡散シンボルに対する重み付け合成処理による高い受信性能を実現することが可能な無線伝送システムの受信技術を提供することができる。
【００５３】
なお、本発明は、上述の実施の形態に例示した構成に限らず、その趣旨を逸脱しない範囲で種々変更可能であることは言うまでもない。
（付記１）
送信するＯＦＤＭシンボルを時間領域で複数シンボルに拡散する無線伝送システムにおいて、受信ＯＦＤＭシンボルをＦＦＴ変換後に周波数領域で等化器により受信シンボルの補正を行う無線機で、前記の等化器の伝送路推定値を基に、複数シンボル間の各サブキャリアの複素シンボルに対して重み付けを与えて合成することを特徴とする受信装置。
（付記２）
付記１記載の無線伝送システムの受信装置において、前記等化器の伝送路推定値を基に
、ＯＦＤＭシンボル内の各サブキャリアの伝送路推定値の平均を求め、その平均値を基に複数シンボル間の各サブキャリアの複素シンボルに対して重み付けを与えて合成することを特徴とする受信装置。
（付記３）
付記１記載の無線伝送システムの受信装置において、ＯＦＤＭシンボルの各サブキャリアの複素シンボルに与えられている変調方式に基づいた復調処理後に軟判定を行い情報信号を導出する場合、前記等化器の伝送路推定値を基に、複数シンボル間の軟判定信号に対して重み付けを与えて合成することを特徴とする受信装置。
（付記４）
付記３記載の無線伝送システムの受信装置において、前記等化器の伝送路推定値を基に、ＯＦＤＭシンボル内の各サブキャリアの伝送路推定値の平均を求め、その平均値を基に複数シンボル間の軟判定信号に対して重み付けを与えて合成することを特徴とする受信装置。
【図面の簡単な説明】
【００５４】
【図１】本発明の一実施の形態である受信方法を実施する受信装置の構成の一例を示すブロック図である。
【図２】本発明の一実施の形態である受信装置におけるシンボル合成部の構成例を示す概念図である。
【図３】本発明の一実施の形態である作用を説明する線図である。
【図４】本発明の一実施の形態である受信方法を実施する受信装置の構成の変形例を示すブロック図である。
【符号の説明】
【００５５】
１  受信装置
１Ａ  受信装置
２  アンテナ
３  低雑音増幅器
４  周波数ミキサ
５  無線周波数発信器
６  ローパスフィルタ
７  自動利得制御器
８  Ａ／Ｄ変換器
９  高速フーリエ変換演算部
１０  等化器
１１  伝送路特性推定値
１２  シンボル合成部
１２ａ  合成シンボル選択部
１２ｂ  乗算部
１２ｃ  乗算部
１２ｄ  加算部
１２ｅ  絶対値演算部
１２ｆ  重み付け演算部
１２ｇ  正規化部
１３  デマッピング部
１４  デインターリーバ
１５  誤り訂正処理部
２０  無線電波
２０ａ  拡散シンボル
２０ｂ  ＯＦＤＭシンボル
２１  等化補正後シンボル
２２  合成シンボル
２３  軟判定データ
２３ａ  軟判定出力
２４  情報信号
【図１】
2009071636.tif 000005
【図２】
2009071636.tif 000006
【図３】
2009071636.tif 000007
【図４】
2009071636.tif 000008